(57)【要約】【課題】安全かつ簡単に、同時に複数のスプリング部の組立が可能である、バスダクト垂直部スプリングハンガー組立治具を提供する。【解決手段】ボルト、コイルばね、および、ブラケットを備えたバスダクト垂直部用スプリング部のボルトの下端部の一部が載置される第１側板部と、バスダクト垂直部用スプリング部のボルトの上端部の一部が載置される第２側板部と、第１側板部および第２側板部の中間に位置してコイルばねを圧縮しながら移動する可動側板部と、第１側板部、可動側板部、第２側板部を貫通して、可動側板部を第２側板部に向かって移動可能な、螺旋状溝部を備えた主軸シャフトと、主軸シャフトの側方に配置された補助シャフトと、主軸シャフトを回転させて、可動側板部によって、第２側板部の方向にコイルばねを加圧移動させる駆動装置とを備えた、バスダクト垂直部スプリングハンガー組立治具。【選択図】図１
2009189122.tif 000002
【特許請求の範囲】
【請求項１】
ボルト、コイルばね、および、ブラケットを備えた、少なくとも１本のバスダクト垂直部用スプリング部のボルトの下端部の一部が載置される第１側板部と、
前記少なくとも１本のバスダクト垂直部用スプリング部のボルトの上端部の一部が載置される第２側板部と、
前記第１側板部および前記第２側板部の中間に位置して前記コイルばねを圧縮しながら移動する可動側板部と、
前記第１側板部、可動側板部、前記第２側板部を貫通して、前記可動側板部を前記第２側板部に向かって移動可能な、螺旋状溝部を備えた主軸シャフトと、
前記主軸シャフトの側方に配置された少なくとも１本の補助シャフトと、
前記主軸シャフトを回転させて、前記可動側板部によって、前記第２側板部の方向に前記コイルばねを加圧移動させる駆動装置とを備えた、バスダクト垂直部スプリングハンガー組立治具。
【請求項２】
前記可動側板部は、バスダクト垂直部用スプリング部の前記ボルトの一部を、収納する切り込み部を備え、前記第２側板部は、前記可動側板部の前記切り込み部に対応する切り込み部を備えている、請求項１に記載のバスダクト垂直部スプリングハンガー組立治具。
【請求項３】
前記切り込み部は、収納された前記ボルトが切り込み部から飛び抜けるのを防止するために、入り口付近の垂直部と垂直部の下端部に広がる拡張部とを備えている、請求項２に記載のバスダクト垂直部スプリングハンガー組立治具。
【請求項４】
前記駆動装置は、手動ハンドルからなっており、手動ハンドルによって前記主軸シャフトを回転させて、前記可動側板部を前記螺旋状溝部に沿って前記第２側板部に向かって移動させる、請求項１から３の何れか１項に記載のバスダクト垂直部スプリングハンガー組立治具。
【請求項５】
前記補助シャフトは、前記主軸シャフトの両側にそれぞれ所定の間隔をあけて並列配置されており、前記可動側板部は前記補助シャフトの周りを覆って、補助シャフトの軸方向に沿ってスライドする筒状部を一体的に備えている、請求項１から４の何れか１項に記載のバスダクト垂直部スプリングハンガー組立治具。
【請求項６】
前記少なくとも１本のバスダクト垂直部用スプリング部が３本のバスダクト垂直部用スプリング部からなっており、前記可動側板部の前記切り込み部に、コイルばねの一方の端部のコイルばね端部受け皿が当接して収納され、前記第２側板部の前記切り込み部に、コイルばねの他方の端部のコイルばね端部受け皿が、バスダクトに取り付けられるブラケットを介して、当接して収納される、請求項１から５の何れか１項に記載のバスダクト垂直部スプリングハンガー組立治具。
【請求項７】
前記ブラケットが概ねＬ字形の部材からなっており、バスダクトに取り付けられる面を上方に、直角に位置する他方の面を、コイルばねの前記他方の面に当接するように、前記バスダクト垂直部用スプリング部を載置する、請求項６に記載のバスダクト垂直部スプリングハンガー組立治具。
【請求項８】
前記第２側板部の前記切り込み部の拡張部が、前記コイルばね端部受け皿に対応した形状からなっており、載置されたコイルバネ端部受け皿が固定されて支持される、請求項３に記載のバスダクト垂直部スプリングハンガー組立治具。
【請求項９】
前記可動側板部と前記第２側板部の間に位置する前記主軸シャフトの一部に、前記コイルばねが所望の長さに圧縮された状態を示すセットカラーが備えられている、請求項１から８の何れか１項に記載のバスダクト垂直部スプリングハンガー組立治具。
【請求項１０】
前記主軸シャフトの駆動に伴って、前記補助シャフトが円滑に移動するためのバランス装置を備えている、請求項１から９の何れか１項に記載のバスダクト垂直部スプリングハンガー組立治具。
【発明の詳細な説明】
【技術分野】
【０００１】
この発明は、バスダクト垂直支持装置に使用されるバスダクト垂直部スプリングハンガーを組み立てる治具に関する。
【背景技術】
【０００２】
高層ビル等の構造物では、電気幹線路を構成するためにバスダクトが使用されている。バスダクトは通常ケーブル等とは異なり、大きな荷重、剛性を有している。また、通電使用時や不使用時等の間の温度変化等によってバスダクトが伸縮する。
【０００３】
このため、バスダクトを垂直に支持するバスダクト支持装置が使用されている。バスダクト支持装置は、例えば、高層建築物の各床を概ね垂直方向に貫通するバスダクト線路を用い、各床の支持部と、バスダクトの側面にコイルバネを設けて、バネの力によってバスダクトの伸縮を吸収する装置である。
【０００４】
図９は、従来の垂直バスダクト支持装置を示す図である。図９（ａ）はバスダクトの側面を示す側面図である。図９（ｂ）はバスダクトの正面を示す正面図である。図９（ａ）、図９（ｂ）に示すように、建築物の床１０１に設けられた開口を貫通して概ね垂直にバスダクト１０３が配置されている。床の上には、ベース金具１０５が固定されて取り付けられている。バスダクト１０３の両側面には、ブラケット１０７がネジ等によって取り付けられている。床の上に固定されたベース金具１０５とバスダクトの側面に取り付けられたブラケットの間に、垂直にコイルばね１０９が配置されている。
【０００５】
このようにして、バスダクトを支持して、バスダクトの温度変化等による伸縮を吸収している。垂直に配置されたコイルばね１０９の上端部および下端部にはコイルばね端部受け皿１１１が装着されている。コイルばね１０９およびブラケット１０７を、ボルト１１３が貫通している。ボルト１１３は、固定用ナット１１５によって、ベース金具１０５に固定されている。ボルト１１３のコイルばね１０９の下端部には、調整用ナット１１７が設けられて、コイルばね１０９の反発力を調整する。
【０００６】
上述したように、バスダクト支持装置は、建築物の各床と、各床の開口を貫通して垂直に配置されたバスダクトの間に、所望の力で圧縮した状態でコイルばねを配置して、バスダクトの温度変化等による伸縮を吸収して、バスダクトを支持している。
【特許文献１】特開２００３−６１２３５号公報
【特許文献２】特開２００５−２８７１７２号公報
【発明の開示】
【発明が解決しようとする課題】
【０００７】
上述したように建築物の床とバスダクトの間にコイルばねを組立てるときに、ボルト１１３、コイルばね１０９、および、ブラケット１０７を備えたスプリング部のコイルばねを所望の状態に圧縮する作業がともなう。従来、図１０に示す治具を使用して、コイルばね１０９を圧縮して固定して、所望の長さにコイルばねをセットしていた。
【０００８】
スプリング部のコイルばねを圧縮する作業に際して、１つのスプリング部に対して１台の治具を使用して、所望の圧縮寸法にコイルばねをセットしていた。従って作業に時間がかかっていた。更に、強度の高い、線径の太いコイルばねを組立てるときに、人力では圧縮が困難であった。更に、治具自体の強度が弱く、コイルばねの圧縮時にばねの力により、全体が冶具から飛び出しそうになったこともあった。
【０００９】
従って、この発明の目的は、従来の問題点を解決して、安全かつ簡単に、同時に複数のスプリング部の組立が可能である、バスダクト垂直部スプリングハンガー組立治具を提供することにある。
【課題を解決するための手段】
【００１０】
本発明者は、上述した従来の問題点を解決すべく鋭意研究を重ねた。その結果、以下のことが判明した。即ち、所定間隔で、平行に固定して配置した２枚に側板部の間に、平行移動が可能な可動側板部を設け、中央部に螺旋状の溝を備えた主軸シャフト、その両側に軸方向にスライドする補助シャフトを設け、コイルばねを可動側板部と一方の固定された側板部の間に配置し、中央部の主軸シャフトを駆動部で回転駆動させると、可動側板部がコイルばねを圧縮しつつ駆動部側の固定された側板部に向かって移動する。この際、可動側板部および駆動部側の固定された側板部にそれぞれスプリング部のボルトが脱落しないように収納用の切り欠き部を設け、バスダクトに固定するブラケットをコイルばねの上端部に固着した状態でボルトを切り欠き部に収納すると、作業途中でコイルばねが飛び出すことなく、安定して、所望の圧縮寸法に複数のコイルばねを同時にセットできることが判明した。
【００１１】
この発明は、上記研究結果に基づいてなされたものであって、この発明のバスダクト垂直部スプリングハンガー組立治具の第１の態様は、ボルト、コイルばね、および、ブラケットを備えた、少なくとも１本のバスダクト垂直部用スプリング部のボルトの下端部の一部が載置される第１側板部と、
前記少なくとも１本のバスダクト垂直部用スプリング部のボルトの上端部の一部が載置される第２側板部と、
前記第１側板部および前記第２側板部の中間に位置して前記コイルばねを圧縮しながら移動する可動側板部と、
前記第１側板部、可動側板部、前記第２側板部を貫通して、前記可動側板部を前記第２側板部に向かって移動可能な、螺旋状溝部を備えた主軸シャフトと、
前記主軸シャフトの側方に配置された少なくとも１本の補助シャフトと、
前記主軸シャフトを回転させて、前記可動側板部によって、前記第２側板部の方向に前記コイルばねを加圧移動させる駆動装置とを備えた、バスダクト垂直部スプリングハンガー組立治具である。
【００１２】
この発明のバスダクト垂直部スプリングハンガー組立治具の第２の態様は、前記可動側板部は、バスダクト垂直部用スプリング部の前記ボルトの一部を、収納する切り込み部を備え、前記第２側板部は、前記可動側板部の前記切り込み部に対応する切り込み部を備えている、バスダクト垂直部スプリングハンガー組立治具である。
【００１３】
この発明のバスダクト垂直部スプリングハンガー組立治具の第３の態様は、前記切り込み部は、収納された前記ボルトが切り込み部から飛び抜けるのを防止するために、入り口付近の垂直部と垂直部の下端部に広がる拡張部とを備えている、バスダクト垂直部スプリングハンガー組立治具である。
【００１４】
この発明のバスダクト垂直部スプリングハンガー組立治具の第４の態様は、前記駆動装置は、手動ハンドルからなっており、手動ハンドルによって前記主軸シャフトを回転させて、前記可動側板部を前記螺旋状溝部に沿って前記第２側板部に向かって移動させる、バスダクト垂直部スプリングハンガー組立治具である。
【００１５】
この発明のバスダクト垂直部スプリングハンガー組立治具の第５の態様は、前記補助シャフトは、前記主軸シャフトの両側にそれぞれ所定の間隔をあけて並列配置されており、前記可動側板部は前記補助シャフトの周りを覆って、補助シャフトの軸方向に沿ってスライドする筒状部を一体的に備えている、バスダクト垂直部スプリングハンガー組立治具である。
【００１６】
この発明のバスダクト垂直部スプリングハンガー組立治具の第６の態様は、前記少なくとも１本のバスダクト垂直部用スプリング部が３本のバスダクト垂直部用スプリング部からなっており、前記可動側板部の前記切り込み部に、コイルばねの一方の端部のコイルばね端部受け皿が当接して収納され、前記第２側板部の前記切り込み部に、コイルばねの他方の端部のコイルばね端部受け皿が、バスダクトに取り付けられるブラケットを介して、当接して収納される、バスダクト垂直部スプリングハンガー組立治具である。
【００１７】
この発明のバスダクト垂直部スプリングハンガー組立治具の第７の態様は、前記ブラケットが概ねＬ字形の部材からなっており、バスダクトに取り付けられる面を上方に、直角に位置する他方の面を、コイルばねの前記他方の面に当接するように、前記バスダクト垂直部用スプリング部を載置する、バスダクト垂直部スプリングハンガー組立治具である。
【００１８】
この発明のバスダクト垂直部スプリングハンガー組立治具の第８の態様は、前記第２側板部の前記切り込み部の拡張部が、前記コイルばね端部受け皿に対応した形状からなっており、載置されたコイルバネ端部受け皿が固定されて支持される、バスダクト垂直部スプリングハンガー組立治具である。
【００１９】
この発明のバスダクト垂直部スプリングハンガー組立治具の第９の態様は、前記可動側板部と前記第２側板部の間に位置する前記主軸シャフトの一部に、前記コイルばねが所望の長さに圧縮された状態を示すセットカラーが備えられている、バスダクト垂直部スプリングハンガー組立治具である。
【００２０】
この発明のバスダクト垂直部スプリングハンガー組立治具の第１０の態様は、前記主軸シャフトの駆動に伴って、前記補助シャフトが円滑に移動するためのバランス装置を備えている、バスダクト垂直部スプリングハンガー組立治具である。
【発明の効果】
【００２１】
この発明によると、所定間隔で、平行に固定して配置した２枚に側板部の間に、平行移動が可能な可動側板部を設け、中央部に螺旋状の溝を備えた主軸シャフト、その両側に軸方向にスライドする補助シャフトを設け、スプリング部のコイルばねを可動側板部と一方の固定された側板部の間に配置し、中央部の主軸シャフトを駆動部で回転駆動させると、可動側板部がコイルばねを圧縮しつつ駆動部側の固定された側板部に向かって移動するので、所望の圧縮寸法に複数のコイルばねを同時にセットすることができる。
【００２２】
更に、可動側板部および駆動部側の固定された側板部にそれぞれスプリング部のボルトが脱落しないように収納用の切り欠き部を設け、バスダクトに固定するブラケットをコイルばねの上端部に固着した状態でボルトを切り欠き部に収納すると、作業途中でコイルばねが飛び出すことなく、安定して、所望の圧縮寸法に複数のコイルばねを同時にセットすることができる。
この発明によると、安全かつ簡単に、同時に複数のスプリング部の組立が可能である、バスダクト垂直部スプリングハンガー組立治具を提供することができる。
【発明を実施するための最良の形態】
【００２３】
本発明のバスダクト垂直部スプリングハンガー組立治具の態様について図面を参照しながら詳細に説明する。
この発明のバスダクト垂直部スプリングハンガー組立治具の１つの態様は、ボルト、コイルばね、および、ブラケットを備えた、少なくとも１本のバスダクト垂直部用スプリング部のボルトの下端部の一部が載置される第１側板部と、
少なくとも１本のバスダクト垂直部用スプリング部のボルトの上端部の一部が載置される第２側板部と、
第１側板部および第２側板部の中間に位置して前記コイルばねを圧縮しながら移動する可動側板部と、
第１側板部、可動側板部、第２側板部を貫通して、可動側板部を第２側板部に向かって移動可能な、螺旋状溝部を備えた主軸シャフトと、
主軸シャフトの側方に配置された少なくとも１本の補助シャフトと、
主軸シャフトを回転させて、可動側板部によって、第２側板部の方向にコイルばねを加圧移動させる駆動装置とを備えた、バスダクト垂直部スプリングハンガー組立治具である。
【００２４】
スプリング部は、図９を参照して説明したように、コイルばねが所望の状態に圧縮された状態で、一方がバスダクトに、他方が建築物の床に固定されたベース金具に取り付けられる。スプリング部のコイルばねに所望の圧縮を加えた状態にするために、この発明のバスダクト垂直部スプリングハンガー組立治具が用いられる。
【００２５】
図１は、この発明のバスダクト垂直部スプリングハンガー組立治具の１つの態様を示す斜視図である。図２は、その平面図であり、図３は、主軸シャフトを説明するための側面図である。
【００２６】
図１および図２に示すように、第１側板部２、第２側板部３が所定の間隔をあけて平行に固定される。第１側板部２、第２側板部３にはそれぞれ外側に、側板受けアングル等８、９によって補強され、作業台に固定される。第１側板部２と第２側板部３の間にこれら側板部と平行に配置され、第２側板部３に向かって移動可能な可動側板部４が設けられる。第１側板部２、可動側板部４、第２側板部３に直交して、これら側板部を貫通して、螺旋状の溝が形成された主軸シャフト５が回転可能に配置される。
【００２７】
主軸シャフト５の両側には、所定間隔をあけてそれぞれ補助シャフト６、７が主軸シャフト５と平行に配置されている。補助シャフト６、７に対応する可動側板部４の部分には、補助シャフト６、７の周りを覆って、補助シャフト６、７の軸方向に沿ってスライドする筒状部１０、１１が一体的に形成されている。主軸シャフト５に対応する可動側板部４の部分には、主軸シャフト５の螺旋状の溝部に対応する溝部が形成されている。主軸シャフト５は、補助シャフト６、７の径よりも大きい径を有している。
【００２８】
このような状態で、駆動装置、例えば手動のハンドル１２を回転させると、図３に示すように、螺旋状の溝部が形成された主軸シャフト５が回転し、主軸シャフト５の螺旋状の溝部に対応した溝部を備えた可動側板部４が主軸シャフト５の軸線に沿って第２側板部３に向かって移動する。これに伴って、可動側板部４に設けられた、補助シャフト６、７の軸方向に沿ってスライドする筒状部１０、１１が、補助シャフト６、７を軸方向に沿って、第２側板部３に向かってスライドする。
【００２９】
この筒状部１０、１１があることにより、スプリングの収縮状態によらず、コイルばねを同じ寸法に圧縮することができる。
可動側板部が円滑に第２側板部に向かって移動することができように、補助シャフトの軸線に沿って凹部を、筒状部の内部に凹部に対応する凸を形成してもよい。
【００３０】
図２に示すように、可動側板部の一部に、可動側板部と第２側板部との間の距離を規制する規制装置１５を備えてもよい。規制装置を設けることによって、駆動装置の回転によって、主軸シャフトが回転し、主軸シャフトの螺旋状の溝部に対応した溝部を備えた可動側板部が主軸シャフトの軸線に沿って第２側板部に向かって移動するときに、予め設定された位置に到達すると、可動側板部が機械的に停止する。
【００３１】
図４は、可動側板部と第２側板部の間の距離を規制する別の規制装置を説明する図である。図４に示すように、主軸シャフトの所定部位に主軸シャフトの移動を機械的に停止させる停止部材１６を備えてもよい。主軸シャフトの回転によって可動側板部が第２側板部に向かって移動するときに、停止部材１６によって機械的に阻止されるので、２つの側板部がそれ以上近接することはない。
【００３２】
上述した規制装置、および、図２に示した可動側板部と第２側板部の間の距離を機械的に規制する規制装置の代わりに、図４に示すように、可動側板部４と第２側板部３の間の距離をセンサー１８で感知し、その情報を伝達して駆動装置１７を停止させるセンサー付駆動停止装置を設けてもよい。何れの場合にも、予め決定された所望の位置で可動側板部を停止させることができる。
【００３３】
図５は、ボルトを収納する切り込み部を説明する図である。図５に示すように、可動側板部４は、バスダクト垂直部用スプリング部のボルトの一部を、収納する切り込み部１３を備え、そして、第２側板部３は、可動側板部４の切り込み部１３に対応する切り込み部１４を備えている。スプリング部のボルトが切り込み部１３に収納されると、可動側板部４の前面が、コイルばねの端部に当接して、コイルばねを固定する。
【００３４】
図５に示すように、切り込み部１３は、収納されたボルトが、加わった力によってコイルがずれて、切り込み部から飛び抜けるのを防止するために、入り口付近の垂直部１９と垂直部の下端部に広がる拡張部２０とを備えている。拡張部２０は、好ましくは、コイルばねの端部の形状に対応した形状を備えて、コイルばねの端部が拡張部に収まり、コイルばねがその状態で固定される。
【００３５】
図６は、この発明のバスダクト垂直部スプリングハンガー組立治具に、３本のスプリング部が装着されて、コイルばねが所望の圧縮を受けた状態を説明する図である。図７は、スプリング部を示す側面図である。スプリング部３０は、両端部にコイルばね端部受け皿２４、２５を備えたコイルばね２２と、コイルバネの上端部に取り付けられている、バスダクトに固定されるブラケット２１と、これらを貫通するボルト２８と、コイルばねの下端部に接して取り付けられている反発力調整用ナットとを備えている。
【００３６】
上述したブラケットは、図７に示すように、概ねＬ字形の部材からなっており、バスダクトに取り付けられる面を上方に、直角に位置する他方の面を、コイルばねの上端部の面に当接するように配置される。
図８は、スプリング部を水平に載置した場合の平面図である。図８に示す状態では、概ねＬ字形の部材からなるブラケットは、バスダクトに取り付けられる面が上方に向かって位置している。
【００３７】
図６に示すように、図７および図８を参照して説明したスプリング部が、３本並列に配置されて、図１を参照して説明したスプリングハンガー組立治具１に載置され、駆動装置によって主軸シャフトが回転し、それに伴って、可動側板部が第２側板部に向かって加圧移動して、スプリング部のコイルばねが所望の力で圧縮されて、予め設定されたバスダクトへの取り付けが可能な状態にセットされている。
【００３８】
即ち、図１を参照して説明したこの発明のバスダクト垂直部スプリングハンガー組立治具に、３本のスプリング部３０を並列配置する。スプリング部３０のボルトの先端部２７は、第１側板部の上端に設けられた凹部に載置される。ボルト２８に取り付けられた反発力調整用ナット２３が可動側板部４に設けられた切り欠き部１３の垂直部１９に載置されて位置し、下端側のコイルばね端部受け皿２４の形状に対応した形状の拡張部２０にコイルばね端部受け皿２４の外面が嵌合されて固定される。第２側板部に設けられた切り欠き部１４には、ボルトに挿通されたＬ型ブラケットの一方の面が第２側板部の面に密着した状態で装着される。
【００３９】
バスダクト垂直部スプリングハンガー組立治具に、３本のスプリング部３０を並列配置された状態では、Ｌ型ブラケット２１のバスダクト取り付け面が上方に面している。このように３本のスプリング部３０が、バスダクト垂直部スプリングハンガー組立治具に載置された状態で、駆動装置例えばハンドル１２を回転させて、螺旋状の溝部を備えた主軸シャフトが回転する。主軸シャフトの回転によって、可動側板部４がコイルばねを圧縮しながら第２側板部に向かって移動する。
【００４０】
可動側板部４の下部に、補助シャフト６、７の周りを覆うように一体的に形成された筒状部１０、１１が、主軸シャフトと平行して配置された補助シャフトの上を、補助シャフト６、７の軸方向に沿ってスライドする。上述したように、可動側板部が円滑に第２側板部に向かって移動することができように、補助シャフトの軸線に沿って凹部を、筒状部の内部に凹部に対応する凸が形成されている。その結果、主軸シャフトの回転によって、可動側板部４がコイルばねを所望の力で圧縮しながら第２側板部に向かって移動する。
【００４１】
その際、上述したように、可動側板部の上部に設けられた切り込み部１３には、収納されたボルトが、加わった力によってコイルばねがずれて、切り込み部から飛び抜けるのを防止するために、入り口付近の垂直部１９と垂直部の下端部に広がる拡張部２０とを備えており、拡張部２０は、コイルばねの端部の形状に対応した形状を備えて、コイルばねの端部が拡張部に収まり、コイルばねがその状態で固定される。
【００４２】
主軸シャフトの回転によって、第２側板部に向かって移動する可動側板部は、主軸シャフトの所定部位に備えられた、主軸シャフトの移動を機械的に停止させる停止部材１６によって機械的に阻止される。
【００４３】
このようにスプリング部のコイルばねが所望の圧縮状態になった状態で、スプリング部のボルトの先端部を、建築物の床に固定されて取り付けられたベース金具に取り付け、Ｌ型ブラケットの面がバスダクトに取り付けられる。
【００４４】
上述したように、この発明によると、この発明によると、安全かつ簡単に、同時に複数のスプリング部の組立が可能である、バスダクト垂直部スプリングハンガー組立治具を提供することができる。
【図面の簡単な説明】
【００４５】
【図１】図１は、この発明のバスダクト垂直部スプリングハンガー組立治具の１つの態様を示す斜視図である。
【図２】図２は、この発明のバスダクト垂直部スプリングハンガー組立治具の１つの態様を示す平面図である。
【図３】図３は、主軸シャフトを説明するための側面図である。
【図４】図４は、可動側板部と第２側板部の間の距離を規制する別の規制装置を説明する図である。
【図５】図５は、ボルトを収納する切り込み部を説明する図である。
【図６】図６は、この発明のバスダクト垂直部スプリングハンガー組立治具に、３本のスプリング部が装着されて、コイルばねが所望の圧縮を受けた状態を説明する図である。
【図７】図７は、スプリング部を示す側面図である。
【図８】図８は、スプリング部を水平に載置した場合の平面図である。
【図９】図９は、従来の垂直バスダクト支持装置を示す図である。図９（ａ）はバスダクトの側面を示す側面図である。図９（ｂ）はバスダクトの正面を示す正面図である。
【図１０】図１０は、従来のバスダクト垂直部スプリングハンガー組立治具を示す図である。
【符号の説明】
【００４６】
１  バスダクト垂直部スプリングハンガー組立治具
２  第１側板部
３  第２側板部
４  可動側板部
５  主軸シャフト
６  補助シャフト
７  補助シャフト
８  側板受けアングル
９  側板受けアングル
１０  筒状部
１１  筒状部
１２  駆動装置
１３  切り込み部
１４  切り込み部
１５  規制装置
１６  停止部材
１７  駆動装置
１８  センサー
１９  垂直部
２０  拡張部
２１  ブラケット
２２  コイルばね
２３  ナット
２４  コイルばね端部受け皿
２５  コイルばね端部受け皿
２７  ボルトの下端部
２８  ボルト
３０  スプリング部
【図１】
2009189122.tif 000003
【図２】
2009189122.tif 000004
【図３】
2009189122.tif 000005
【図４】
2009189122.tif 000006
【図５】
2009189122.tif 000007
【図６】
2009189122.tif 000008
【図７】
2009189122.tif 000009
【図８】
2009189122.tif 000010
【図９】
2009189122.tif 000011
【図１０】
2009189122.tif 000012